(57)【要約】【課題】加湿部材によって生じる通風路中の空気の圧損を低減することができる空気調和機を提供する。【解決手段】空気調和機１ａは、ケーシング２と、室内熱交換器４と、室内送風部３と、加湿部材２９とを備える。ケーシング２は、吸込み口２４と、吹出し口２５と、吸込み口２４と吹出し口２５とを繋ぐ通風路とを有する。室内熱交換器４は、通風路を通る空気との間で熱交換を行う。室内送風部３は、吸込み口２４から吸い込まれ通風路を通り吹出し口２５から吹き出される空気の流れを生成する。加湿部材２９は、通風路の壁面の少なくとも一部を構成し、通風路を通る空気に水蒸気を供給する。【選択図】図１
2008224167.tif 000002
【特許請求の範囲】
【請求項１】
吸込み口と、吹出し口と、前記吸込み口と前記吹出し口とを繋ぐ通風路とを有するケーシング（２，１３）と、
前記通風路を通る空気との間で熱交換を行う熱交換器（４，１１）と、
前記吸込み口から吸い込まれ前記通風路を通り前記吹出し口から吹き出される空気の流れを生成する送風部（３，１２）と、
前記通風路の壁面の少なくとも一部を構成し、前記通風路を通る空気に水蒸気を供給する加湿部材（１４，２９）と、
を備える空気調和機（１ａ−１ｅ）。
【請求項２】
前記加湿部材（１４，２９）は、前記熱交換器（４，１１）の前記空気の流れにおける下流側に設けられている、
請求項１に記載の空気調和機（１ａ−１ｅ）。
【請求項３】
前記加湿部材（１４，２９）を加熱する加熱部（２７ａ−２７ｃ）をさらに備える、
請求項１または２に記載の空気調和機（１ａ−１ｅ）。
【請求項４】
前記加熱部（２７ｃ）は、前記加湿部材（１４，２９）に対して前記通風路とは反対側に配置されている、
請求項３に記載の空気調和機（１ａ−１ｅ）。
【請求項５】
前記加熱部（２７ｂ）は、前記通風路に配置されている、
請求項３に記載の空気調和機（１ａ−１ｅ）。
【請求項６】
前記加湿部材（１４，２９）に水を供給する給水部（７ａ−７ｆ）と、
前記加湿部材（１４，２９）に供給される水を加熱する加熱部（２７ａ）と、
をさらに備える請求項１または２に記載の空気調和機（１ａ−１ｅ）。
【請求項７】
前記加熱部（２７ａ−２７ｃ）による加熱量を調整することによって前記加湿部材（１４，２９）による加湿量を調整する制御部（１０）をさらに備える、
請求項３から６のいずれかに記載の空気調和機（１ａ−１ｅ）。
【発明の詳細な説明】
【技術分野】
【０００１】
本発明は、空気調和機に関する。
【背景技術】
【０００２】
空気調和機には、吸込し口と吹出し口とを繋ぐ通風路が内部に形成され、通風路を通る空気が熱交換器によって加熱又は冷却されて吹出し口から吹き出されることにより、室内の冷暖房が行われる。また、通風路を流れる空気に水蒸気を供給する加湿部材が備えられることにより、室内の加湿を行うことができる空気調和機器も利用されている。
【特許文献１】特開２００５−１０６４２２号公報
【発明の開示】
【発明が解決しようとする課題】
【０００３】
上記の空気調和機においては、加湿部材が通風路の空気の流れの障害となり、通風路を流れる空気の圧損が増大してしまう恐れがある。
【０００４】
本発明の課題は、加湿部材によって生じる通風路中の空気の圧損を低減することができる空気調和機を提供することにある。
【課題を解決するための手段】
【０００５】
第１発明に係る空気調和機は、ケーシングと、熱交換器と、送風部と、加湿部材とを備える。ケーシングは、吸込み口と、吹出し口と、吸込み口と吹出し口とを繋ぐ通風路とを有する。熱交換器は、通風路を通る空気との間で熱交換を行う。送風部は、吸込み口から吸い込まれ通風路を通り吹出し口から吹き出される空気の流れを生成する。加湿部材は、通風路の壁面の少なくとも一部を構成し、通風路を通る空気に水蒸気を供給する。
【０００６】
この空気調和機では、加湿部材が通風路を通る空気に水蒸気を供給することにより、室内を加湿することができる。また、この加湿部材は、通風路の壁面の少なくとも一部を構成するように設けられているため、通風路を通る空気の流れを妨げる恐れが少ない。このため、この空気調和機では、加湿部材によって生じる通風路中の空気の圧損を低減することができる。
【０００７】
第２発明に係る空気調和機は、第１発明の空気調和機であって、加湿部材は、熱交換器の空気の流れにおける下流側に設けられている。
【０００８】
この空気調和機では、加湿部材が熱交換器の空気の流れにおける下流側に設けられているため、暖房運転時には熱交換器によって暖められた空気が加湿部材の近傍を通過する。このため、加湿部材が暖められ、加湿部材から水分が蒸発しやすくなる。これにより、加湿部材から供給される水蒸気の量を増大させることができる。
【０００９】
第３発明に係る空気調和機は、第１発明または第２発明の空気調和機であって、加湿部材を加熱する加熱部をさらに備える。
【００１０】
この空気調和機では、加熱部によって加湿部材が加熱される。このため、加湿部材が暖められ、加湿部材から水分が蒸発しやすくなる。これにより、加湿部材から供給される水蒸気の量を増大させることができる。
【００１１】
第４発明に係る空気調和機は、第３発明の空気調和機であって、加熱部は、加湿部材に対して通風路とは反対側に配置されている。
【００１２】
この空気調和機では、加熱部が加湿部材に対して通風路とは反対側に配置されているため、加熱部が、加湿部から通風路に供給される水蒸気を阻害する恐れが少ない。このため、加湿能力の低下を抑えることができる。
【００１３】
第５発明に係る空気調和機は、第３発明の空気調和機であって、加熱部は、通風路に配置されている。
【００１４】
この空気調和機では、加熱部が通風路に配置されているため、加湿部材の通風路側の表面を加熱することができる。このため、加湿部材からの水蒸気の供給量を増大させることができ、加湿能力を増大させることができる。
【００１５】
第６発明に係る空気調和機は、第１発明または第２発明の空気調和機であって、加湿部材に水を供給する給水部と、加湿部材に供給される水を加熱する加熱部とをさらに備える。
【００１６】
この空気調和機では、加湿部材に供給される水が加熱部によって加熱される。このため、加湿部材から水分が蒸発しやすくなる。これにより、加湿部材から供給される水蒸気の量を増大させることができる。
【００１７】
第７発明に係る空気調和機は、第３発明から第６発明の空気調和機であって、加熱部による加熱量を調整することによって加湿部材による加湿量を調整する制御部をさらに備える。
【００１８】
この空気調和機では、制御部によって、加熱部による加熱量が調整されることによって加湿部材による加湿量が調整される。これにより、簡易な構成で加湿量を調整することができる。
【発明の効果】
【００１９】
第１発明に係る空気調和機では、加湿部材が通風路を通る空気に水蒸気を供給することにより、室内を加湿することができる。また、この加湿部材は、通風路の壁面の少なくとも一部を構成するように設けられているため、通風路を通る空気の流れを妨げる恐れが少ない。このため、この空気調和機では、加湿部材によって生じる通風路中の空気の圧損を低減することができる。
【００２０】
第２発明に係る空気調和機では、加湿部材が熱交換器の下流側に設けられているため、暖房運転時には熱交換器によって暖められた空気が加湿部材の近傍を通過する。このため、加湿部材が暖められ、加湿部材から水分が蒸発しやすくなる。これにより、加湿部材から供給される水蒸気の量を増大させることができる。
【００２１】
第３発明に係る空気調和機では、加熱部によって加湿部材が加熱される。このため、加湿部材が暖められ、加湿部材から水分が蒸発しやすくなる。これにより、加湿部材から供給される水蒸気の量を増大させることができる。
【００２２】
第４発明に係る空気調和機では、加熱部が加湿部材に対して通風路とは反対側に配置されているため、加熱部が、加湿部から通風路に供給される水蒸気を阻害する恐れが少ない。このため、加湿能力の低下を抑えることができる。
【００２３】
第５発明に係る空気調和機では、加熱部が通風路に配置されているため、加湿部材の通風路側の表面を加熱することができる。このため、加湿部材からの水蒸気の供給量を増大させることができ、加湿能力を増大させることができる。
【００２４】
第６発明に係る空気調和機では、加湿部材に供給される水が加熱部によって加熱される。このため、加湿部材から水分が蒸発しやすくなる。これにより、加湿部材から供給される水蒸気の量を増大させることができる。
【００２５】
第７発明に係る空気調和機では、制御部によって、加熱部による加熱量が調整されることによって加湿部材による加湿量が調整される。これにより、簡易な構成で加湿量を調整することができる。
【発明を実施するための最良の形態】
【００２６】
＜第１実施形態＞
〔構成〕
本発明の第１実施形態に係る空気調和機１ａを図１に示す。この空気調和機１ａは、天井面に取り付けられる天井埋込型の室内機であり、室外に設置される室外機（図示せず）と接続される。空気調和機１ａは、ケーシング２と、室内送風部３と、室内熱交換器４と、加湿部５と、給排水部７ａと、制御部１０（図２参照）とを備えている。
【００２７】
ケーシング２は、室内送風部３、室内熱交換器４、加湿部５などの構成部品を内部に収納しており、ケーシング本体２１、正面パネル２２、熱交換器用ドレンパン２３などを有する。ケーシング本体２１は、下面が開口した箱状の部材であり、室内熱交換器４、室内送風部３、加湿部５を収納している。正面パネル２２は、ケーシング本体２１の開口を閉じるようにケーシング本体２１に取り付けられ、室内に面して配置される。また、正面パネル２２の中央部には吸込み口２４が設けられ、その周囲には吹出し口２５が設けられており、ケーシング２の内部には、吸込み口２４と吹出し口２５とを繋ぐ通風路が形成されている。熱交換器用ドレンパン２３は、室内熱交換器４の下方に設けられており、室内熱交換器４から滴下するドレン水を受ける。
【００２８】
室内送風部３は、正面パネル２２の上方に配置されており、吸込み口２４から吸い込まれ通風路を通り吹出し口２５から吹き出される空気の流れを生成する。室内送風部３は、送風ファン３１と、ファンモータ３２とを有する。送風ファン３１は、ファンモータ３２によって回転駆動され、軸方向から空気を吸い込み遠心方向に空気を吹き出す遠心ファンである。
【００２９】
室内熱交換器４は、フィンチューブ式の熱交換器であり、通風路中に設けられている。室内熱交換器４は、通風路を通り室内へ吹き出される空気と熱交換を行う。室内熱交換器４は、室内送風部３の側方を囲むように設けられており、垂直断面において鉛直方向に長い長方形の断面形状を有している。
【００３０】
加湿部５は、給排水部７ａから供給される水を用いて、室内へ吹き出される空気を加湿する。加湿部５は、気化方式の加湿機能を有しており、通風路を通る空気に水蒸気を供給する。気化方式には、透湿膜式、滴下式、毛管式などの方式があるが、ここでは、透湿膜式の加湿部５が用いられている。透湿膜式とは、液体としての水は通さないが水蒸気を通す超撥水性多孔質膜すなわち透湿膜で水を覆い、その周囲に空気を流すことにより加湿を行う方式である。超撥水性多孔質膜としては、例えば、ポリエチレン、ポリプロピレン、ポリカーボネート、ポリエステル、フッ素樹脂などの疎水性高分子材料からなる多孔質膜が挙げられる。この加湿部５は、透湿膜からなる加湿部材２９を有している。加湿部５は、ケーシング本体２１の内側面に設けられており、加湿部材２９が室内熱交換器４より下流側の通風路の壁面を構成するように配置されている。また、加湿部５の下方には、加湿部用ドレンパン２６が設けられており、万一、加湿部５において水漏れが生じた場合には、加湿部５から漏れた水滴を受ける。
【００３１】
なお、透湿膜方式ではなく他の加湿方式の加湿部が利用されてもよい。例えば、毛管式や滴下式の加湿部５が利用されてもよい。毛管式とは、加湿部給水路から供給される水を加湿部材２９で吸い上げ、加湿部材２９に風を当てることによって空気の加湿を行う方式である。滴下式とは、加湿部材２９の上部に水を供給し、加湿部材２９に風を当てることによって空気の加湿を行う方式である。毛管式、滴下式のいずれにおいても、加湿部材としては、水の拡散性および通風性が高く且つ表面積の大きな多孔性部材が用いられる。例えば、親水性材料から形成された不織布などの繊維系部材や、スポンジなどの発泡性部材が挙げられる。
【００３２】
給排水部７ａは、水源から供給される水を加湿部５に供給すると共に、不要な水を外部に排出するための設備であり、加湿用給排水路７１ａと、貯水タンク８１と、循環ポンプＰ１と、各種の水路開閉弁Ｖ１，Ｖ２とを有している。なお、水源としては、水道管が用いられる。
【００３３】
加湿用給排水路７１ａは、水源に接続される給水口８３と、水を外部に排水するための排水口８４とを有し、給水口８３から加湿部５を通り排水口８４まで水を送るための水路である。加湿用給排水路７１ａは、タンク給水路７３ａと、加湿部給水路７４ａと、循環水路７５ａと、排水路７６ａとを有する。タンク給水路７３ａは、給水口８３から貯水タンク８１へ水を送るための水路である。加湿部給水路７４ａは、貯水タンク８１から加湿部５へ水を送るための水路であり、その一端は貯水タンク８１に接続され、他端は加湿部５の上部に接続されている。循環水路７５ａは、加湿部５において加湿に用いられずに残った水を貯水タンク８１に戻すための水路であり、その一端は加湿部５の下部に接続されており、他端は貯水タンク８１に接続されている。排水路７６ａは、加湿部給水路７４ａに接続されており、加湿部給水路７４ａを流れる水を排水口８４に送って外部に排出するための水路である。
【００３４】
貯水タンク８１は、給水口８３から供給される水を貯える。貯水タンク８１の内部、例えば、貯水タンク８１の内面の上下２個所には、フロートスイッチなどの水位検知センサ２８（図２参照）が設けられており、貯水タンク８１内の水位を検出して制御部１０に水位情報を送る。
【００３５】
循環ポンプＰ１は、貯水タンク８１から加湿部給水路７４ａを通って加湿部５へ向かう水の流れを生成する。循環ポンプＰ１は、加湿部給水路７４ａのうち、排水路７６ａと加湿部給水路７４ａとの接続部分よりも下流側に設けられている。
【００３６】
水路開閉弁Ｖ１，Ｖ２は、制御部１０からの制御信号によって電気的に制御される電磁弁であり、水路を開閉することができる。水路開閉弁Ｖ１，Ｖ２には、タンク給水路開閉弁Ｖ１と、排水路開閉弁Ｖ２とがある。タンク給水路開閉弁Ｖ１は、タンク給水路７３ａに設けられており、貯水タンク８１への水の供給を制御することができる。排水路開閉弁Ｖ２は、排水路７６ａに設けられており、排水口８４からの水の排出を制御することができる。
【００３７】
図２に示すように、制御部１０は、水路開閉弁Ｖ１，Ｖ２、循環ポンプＰ１、水位検知センサ２８等と接続されており、空気調和機１ａの各種運転を制御することができる。
【００３８】
〔給排水部７ａによる加湿部５への給水〕
次に、加湿部５への給水時の制御について説明する。この場合、タンク給水路開閉弁Ｖ１は開状態とされ、排水路開閉弁Ｖ２は閉状態とされる。これにより、水道管からタンク給水路７３ａを通って貯水タンク８１まで水が搬送され蓄えられる。また、循環ポンプＰ１が駆動されることにより、貯水タンク８１から加湿部給水路７４ａを通って加湿部５に水が搬送される。そして、加湿部５において水が気化して水蒸気となり、透湿膜を通って通風路に供給される。これにより、通風路を通る空気が加湿される。加湿部５において気化せずに残った水は、循環水路７５ａを通って貯水タンク８１に戻される。
【００３９】
なお、貯水タンク８１において、上限位置まで水位が上昇するとタンク給水路開閉弁Ｖ１が閉じられ、下限位置まで水位が下がるとタンク給水路開閉弁Ｖ１が開かれるように、タンク給水路開閉弁Ｖ１が制御されるとよい。これにより、加湿に必要な水量を確保することができる。
【００４０】
また、給排水部７ａが長期間休止した後に使用が再開される場合には、循環ポンプＰ１が停止した状態で、タンク給水路開閉弁Ｖ１および排水路開閉弁Ｖ２が開状態とされるとよい。これにより、水路に溜まった水が加湿部５をバイパスして排水口８４から外部に排水される。
【００４１】
〔特徴〕
この空気調和機１ａでは、加湿部材２９が通風路の壁面の一部を構成するように加湿部５が配置されているため、加湿部５が通風路を流れる空気の流れを妨げない。このため、通風路を流れる空気の圧損が低減している。
【００４２】
また、加湿部５の加湿部材２９は、室内熱交換器４よりも下流側に位置しているため、暖房運転時には、室内熱交換器４によって暖められた空気が加湿部材２９の近傍を流れる。このため、加湿部材２９が暖められ、加湿部材２９からの水分の蒸発が促進される。これにより、この空気調和機１ａでは、加湿の必要性が高くなる暖房運転時において、加湿能力を向上させることができる。
【００４３】
＜第２実施形態＞
本発明の第２実施形態に係る空気調和機１ｂを図３に示す。この空気調和機１ｂでは、第１実施形態に係る空気調和機１ａにおいて、加熱部２７ａがさらに設けられている。加熱部２７ａは、貯水タンク８１に設けられており、貯水タンク８１に貯えられている水を加熱する。
【００４４】
また、制御部１０は、加湿部による加湿運転を行う場合において、加熱部２７ａによる加熱量を調整することにより、加湿部材２９による加湿量を調整可能である。
【００４５】
他の構成については、第１実施形態に係る空気調和機１ａと同様である。
【００４６】
この空気調和機１ｂでは、加熱部２７ａによって暖められた水が、加湿部５に送られ、加湿部材２９が加熱される。これにより、加湿部５における水の気化が促進され、加湿部５での加湿能力が向上する。また、制御部１０によって加湿部材２９による加湿量の調整が可能となっている。
【００４７】
＜第３実施形態＞
本発明の第３実施形態に係る空気調和機１ｃを図４に示す。この空気調和機１ｃでは、加熱部２７ｂが、通風路において加湿部材２９に対向して配置されている。加熱部２７ｂは加湿部材２９に対して熱線を照射することによって加湿部材２９を加熱することができる。加熱部２７ｂとしては、例えば、赤外線ランプが用いられる。なお、加熱部２７ｂから照射された熱線を加湿部材２９に向けて反射する反射板１９が設けられてもよい。
【００４８】
この空気調和機１ｃでは、加熱部２７ｂによって加湿部材２９の表面が加熱される。これにより、この空気調和機１ｃでは、加湿部材２９からの水蒸気の供給量が増大し、加湿能力が向上する。
【００４９】
＜第４実施形態＞
本発明の第４実施形態に係る空気調和機１ｄを図５に示す。この空気調和機１ｄでは、加熱部２７ｃが、加湿部材２９に対して通風路とは反対側に配置されており、加湿部５とケーシング本体２１の側面との間に設けられている。この加熱部２７ｃは、図６に示すように、伝熱部材２７１と断熱材２７２と加熱源２７３とを有する。伝熱部材２７１は、板金などの伝熱性の高い材料で形成されており、加湿部５と接触している。断熱材２７２はケーシング本体２１に面して設けられている。加熱源２７３は、伝熱部材２７１と断熱材２７２との間に設けられており、加湿部材２９を加熱する熱源となる。なお、伝熱部材２７１と断熱材２７２との間に水などの流体が充填されてもよい。
【００５０】
この空気調和機１ｄでは、加熱部２７ｃによって加湿部５が暖められ、加湿部材２９からの水の蒸発量が増大する。これにより、この空気調和機１ｄでは、加湿能力が向上する。
【００５１】
＜第５実施形態＞
本発明の第５実施形態に係る空気調和機１ｅを図７に示す。この空気調和機１ｅは、壁掛け型の空気調和機であり、室内熱交換器１１と、室内送風部１２と、ケーシング１３と、加湿部材１４と、給排水部７ｂとを備える。
【００５２】
室内熱交換器１１は、両端が下方へ向けて屈曲した形状を有しており、通過する空気との間で熱交換を行う。
【００５３】
室内送風部１２は、室内熱交換器１１の下方に配置されたクロスフローファンであり、図示しないファンモータによって回転駆動される。
【００５４】
ケーシング１３は、室内熱交換器１１および室内送風部１２を内部に収納している。ケーシング１３の前面および上面には吸込み口１５，１６が設けられ、ケーシング１３の下部には吹出し口１７が設けられている。また、ケーシング１３の内部には、スクロール部１８が形成されている。スクロール部１８は、室内送風部１２が設置されている空間と吹出し口１７とを繋ぎ、滑らかに湾曲した形状を有する。スクロール部１８は、ケーシング１３の内部に設けられ吸込み口１５と吹出し口１７とを繋ぐ通風路のうち、室内送風部１２より下流側の部分を構成している。上述した室内送風部１２は、吸込み口１５からケーシング１３の内部に吸い込まれ、室内熱交換器１１およびスクロール部１８を通り、吹出し口１７から室内に吹き出される空気の流れを生成する。また、ケーシング１３の内部には、第１ドレンパンＤ１と第２ドレンパンＤ２とが設けられている。第１ドレンパンＤ１は、室内熱交換器１１の前端部の下方に設けられており、室内熱交換器１１の前端部から滴下するドレン水を受ける。第２ドレンパンＤ２は、室内熱交換器１１の後端部の下方に設けられており、室内熱交換器１１の後端部から滴下するドレン水を受ける。第１ドレンパンＤ１および第２ドレンパンＤ２に滴下した水は、空気調和機１ｅに接続された排水ホース（図示せず）を通って外部に排出される。
【００５５】
加湿部材１４は、毛管式の加湿能力を有しており、スクロール部１８の内側面に沿って設けられている。加湿部材１４は、薄いシート状の形状を有しており、通風路の壁面の一部を構成している。
【００５６】
給排水部７ｂは、加湿用給排水路７１ｂと、第１貯水タンクＴ１と、第２貯水タンクＴ２と、循環ポンプＰ１と、水路切替弁Ｖ３とを有している。なお、水源としては、水道管が用いられる。
【００５７】
加湿用給排水路７１ｂは、水源に接続される給水口８３と、水を外部に排水するための排水口８４とを有し、給水口８３から加湿部５を通り排水口８４まで水を送るための水路である。加湿用給排水路７１ｂは、タンク給水路７３ｂと、加湿部給水路７４ｂと、排水路７６ｂとを有する。タンク給水路７３ｂは、給水口８３から第１貯水タンクＴ１へ水を送るための水路である。加湿部給水路７４ｂは、第１貯水タンクＴ１から加湿部５へ水を送るための水路であり、その一端は第１貯水タンクＴ１に接続され、他端は第２貯水タンクＴ２に接続されている。排水路７６ｂの一端は、水路切換弁Ｖ３に接続されており、他端は、第２ドレンパンＤ２の内部に挿入されている。排水路７６ｂは、加湿部給水路７４ｂを流れる水を第２ドレンパンＤ２に送ることにより外部に排出する。
【００５８】
第１貯水タンクＴ１は、ケーシング１３の下部に設けられている。第１貯水タンクＴ１８１は、タンク給水路７３ｂに接続されており、給水口８３から供給される水を貯留する。また、第１貯水タンクＴ１には、加湿部給水路７４ｂが接続されている。
【００５９】
第２貯水タンクＴ２は、第１貯水タンクＴ１よりも上方に配置されており、第１貯水タンクＴ１から加湿部給水路７４ｂを通って送られる水を貯留する。第２貯水タンクＴ２に貯留された水は、加湿部材１４に供給される。
【００６０】
循環ポンプＰ１は、加湿部給水路７４ｂに設けられており、第１貯水タンクＴ１から加湿部給水路７４ｂを通って第２貯水タンクＴ２または排水路７６ｂへ向かう水の流れを生成する。
【００６１】
水路切替弁Ｖ３は、制御部１０からの制御信号によって電気的に制御される電磁弁である。水路切替弁Ｖ３は、第２貯水タンクＴ２と排水路７６ｂとに送られる水の流れを切り替えることができ、これにより、第２貯水タンクＴ２への水の供給と、排水口８４からの水の排出とを切り替えることができる。
【００６２】
この空気調和機１ｅにおいても、第１実施形態に係る空気調和機１ａと同様に、通風路を流れる空気の圧損を低減させることができる。なお、この空気調和機１ｅにおいて、上記の実施形態の加熱部２７ａ−２７ｃが設けられてもよい。
【００６３】
＜他の実施形態＞
（ａ）
上記の実施形態に係る空気調和機において、給排水部７ａに代えて、図８に示す給排水部７ｃが備えられてもよい。この給排水部７ｃでは、加湿用給排水路７１ｃにおいて、加湿部給水路７４ｃの一端が貯水タンク８１に接続され、他端が加湿部５の下部に接続されている。循環水路７５ｃの一端は加湿部５の上部に接続され、他端は貯水タンク８１に接続されている。また、排水路７６ｃは、貯水タンク８１の下部に接続されている。ポンプ給水路７３ｃ、水路開閉弁Ｖ１，Ｖ２、循環ポンプＰ１等、他の構成については、給排水部７ａと同様である。
【００６４】
（ｂ）
上記の実施形態に係る空気調和機において、給排水部７ａに代えて図９に示す給排水部７ｄが設けられてもよい。給排水部７ｄは、加湿用給排水路７１ｄと、貯水タンク８１と、水路開閉弁Ｖ１，Ｖ２とを有している。
【００６５】
加湿用給排水路７１ｄは、水源に接続される給水口８３と、水を外部に排水するための排水口８４とを有し、給水口８３から加湿部５を通り排水口８４まで水を送るための水路である。加湿用給排水路７１ｄは、タンク給水路７３ｄと、加湿部給水路７４ｄと、排水路７６ｄとを有する。タンク給水路７３ｄは、給水口８３から貯水タンク８１へ水を送るための水路である。加湿部給水路７４ｄは、貯水タンク８１から加湿部５へ水を送るための水路であり、その一端は貯水タンク８１の下部に接続され、他端が加湿部５の下部に接続されている。排水路７６ｄは、加湿部給水路７４ｄの中間部分に接続されており、貯水タンク８１に貯えられた水を排水口８４に送って外部に排出するための水路である。この給排水部７ｄでは、循環ポンプＰ１は設けられておらず、貯水タンク８１に貯えられた水の水圧により加湿部５に水が供給される。
【００６６】
（ｃ）
上記の第１実施形態に係る空気調和機において、給排水部７ａに代えて図１０に示す給排水部７ｅが設けられてもよい。給排水部７ｅでは、上部貯水タンク８１１と下部貯水タンク８１２とが設けられている。加湿用給排水路７１ｅでは、加湿部給水路７４ｅの一端が上部貯水タンク８１１の底部に接続されており、他端は加湿部５の上部に接続されている。下部貯水タンク８１２は、加湿部５の下部から流れてくる水を受けるように配置されており、ドレンパンの機能を兼ねている。なお、この加湿部５は滴下式の加湿機能を有するものである。また、下部貯水タンク８１２の上部にはタンク給水路７３ｅが接続されており、下部貯水タンク８１２の底部には排水路７６ｅが接続されている。さらに、上部貯水タンク８１１と下部貯水タンク８１２とを繋ぐ循環水路７５ｅが設けられており、循環水路７５ｅには、下部貯水タンク８１２から上部貯水タンク８１１へと水を送る循環ポンプＰ１が設けられている。また、タンク給水路７３ｅは、下部貯水タンク８１２に接続されている。
【００６７】
（ｄ）
上記の第１実施形態に係る空気調和機において、給排水部７ａに代えて図１１に示す給排水部７ｆが設けられてもよい。給排水部７ｆでは、貯水タンク８１の上部にタンク給水路７３ｆが接続されており、タンク給水路７３ｆには、タンク給水路開閉弁Ｖ１が設けられている。また、貯水タンク８１の下部には排水路７６ｆが接続されており、排水路７６ｆには排水路開閉弁Ｖ２が設けられている。なお、この空気調和機では、加湿部５は、毛管式の加湿機能を有しており、加湿部５の下部が貯水タンク８１の内部に挿入されている。加湿部５は貯水タンク８１内の水を吸い上げ、加湿部５に含まれた水が加湿部５の表面から蒸発することにより、通風路中の空気に水蒸気が供給される。
【００６８】
（ｅ）
上記の実施形態では、天井埋込型および壁掛け型の空気調和機１ａ−１ｅに対して本発明が適用されているが、床置き型などの他の形態の空気調和機に対しても本発明が適用可能である。
【００６９】
（ｆ）
上記の実施形態では、水源として水道が用いられているが、給湯器など加湿に適した水質を確保できるものであれば他のものも利用可能である。
【００７０】
（ｇ）
上記の第３実施形態では、加湿部材１４に対向して加熱部２７ｂが設けられているが、通過する空気を加熱する加熱部が加湿部材１４の上流側に設けられてもよい。この場合、加熱部によって暖められた空気が加湿部材２９の近傍を通過することによって、加湿部材２９が暖められ、加湿能力が増大する。
【００７１】
（ｈ）
上記の実施形態では、制御部１０が加熱部２７ａ−２７ｃによる加熱量を制御することによって加湿部材１４からの加湿量を制御可能となっているが、室内熱交換器１１による加熱量が制御されることによって加湿量が制御されてもよい。ただし、暖房運転への影響を低減する観点からは、室内熱交換器１１ではなく加熱部２７ａ−２７ｃによる加熱量が制御されることが望ましい。
【００７２】
（ｉ）
上記の実施形態に係る空気調和機１ｂ−１ｅにおいて、加湿部材１４，２９の温度を検知する温度検出部が設けられ、温度検出部が検出した温度情報に基づいて加湿部材１４，２９の熱劣化を抑えるように加熱部２７ａ−２７ｃが制御されてもよい。
【００７３】
（ｊ）
上記の実施形態に係る空気調和機１ａ−１ｅにおいて、加湿部材１４，２９の変形を抑えるリブなどの補強部材が設けられてもよい。これにより、水圧によって加湿部材１４，２９が変形することが抑えられる。なお、補強部材としてリブが設けられる場合、通風路を通る空気の流れに沿った形状のリブが用いられることが望ましい。この場合、通風路を通る空気においてリブによる圧損が生じることを抑えることができる。
【００７４】
（ｋ）
上記の実施形態に係る空気調和機１ａ−１ｅにおいて、制御部１０において水位検出センサ２８からの水位情報や、水路開閉弁Ｖ１，Ｖ２、循環ポンプＰ１からの情報に基づく給水回数情報に基づき、加湿部５でのスケール析出状況が推定されてもよい。そして。推定されたスケール析出状況に基づいて、給排水部７ａ−７ｆによる給排水が制御されることにより、加湿部５におけるスケールの発生を抑えることができる。
【００７５】
また、加湿部５に送られる水からスケールを除去するスケール除去部材が設けられてもよい。スケール除去部材としては、イオン交換樹脂などの軟水フィルタが利用可能である。
【００７６】
（ｌ）
上記の実施形態では、加湿部材１４，２９は室内熱交換器４，１１よりも下流側に設けられているが、室内熱交換器４，１１よりも上流側に設けられてもよい。ただし、室内熱交換器４，１１によって暖められた空気を加湿量の増大のために用いるためには、上記のように、加湿部材１４，２９が室内熱交換器４，１１よりも下流側に設けられることが望ましい。
【産業上の利用可能性】
【００７７】
本発明は、加湿部材によって生じる通風路中の空気の圧損を低減することができる効果を有し、空気調和機として有用である。
【図面の簡単な説明】
【００７８】
【図１】第１実施形態に係る空気調和機の構成図。
【図２】第１実施形態に係る空気調和機の制御ブロック図。
【図３】第２実施形態に係る空気調和機の構成図。
【図４】第３実施形態に係る空気調和機の構成図。
【図５】第４実施形態に係る空気調和機の構成図。
【図６】第４実施形態に係る空気調和機の加熱部の構成図。
【図７】第５実施形態に係る空気調和機の構成図。
【図８】他の実施形態に係る空気調和機の構成図。
【図９】他の実施形態に係る空気調和機の構成図。
【図１０】他の実施形態に係る空気調和機の構成図。
【図１１】他の実施形態に係る空気調和機の構成図。
【符号の説明】
【００７９】
１ａ−１ｅ        空気調和機
２，１３          ケーシング
３，１２          室内送風部（送風部）
４，１１          室内熱交換器（熱交換器）
７ａ−７ｆ        給排水部（給水部）
１０              制御部
１４，２９        加湿部材
２７ａ−２７ｃ    加熱部
【図１】
2008224167.tif 000003
【図２】
2008224167.tif 000004
【図３】
2008224167.tif 000005
【図４】
2008224167.tif 000006
【図５】
2008224167.tif 000007
【図６】
2008224167.tif 000008
【図７】
2008224167.tif 000009
【図８】
2008224167.tif 000010
【図９】
2008224167.tif 000011
【図１０】
2008224167.tif 000012
【図１１】
2008224167.tif 000013